(57)【要約】  通信ネットワークにおいて、ユーザが提供される少なくとも第１のタイプのサービスに関するプロファイルデータを収集し、そのデータを、ユーザがネットワークを介して提供される少なくとも第２の異なるタイプのサービスにとって利用可能にする方法。
2012524351.tif 000002
【特許請求の範囲】
【請求項１】
ローカルユーザ機器に接続された通信ネットワークにおけるプロファイリング方法であって、ネットワークの中で、ユーザが提供される少なくとも第１のタイプのサービスに関するプロファイルデータを収集するステップと、そのデータプロファイルを、ユーザがネットワークを介して提供される少なくとも第２の異なるタイプのサービスにとって利用可能にするステップとを備える、方法。
【請求項２】
プロファイルデータがアクセスネットワークにおいて取得される、請求項１に記載の方法。
【請求項３】
第１のサービスがウェブブラウジングおよび／または検索サービスである、請求項１または２に記載の方法。
【請求項４】
第２のサービスがＩＰＴＶサービスである、請求項１から３のいずれかに記載の方法。
【請求項５】
プロファイリング装置が第１のサービスのユーザによる使用に関するプロファイリングデータを収集するために使用され、収集されたプロファイルデータがそのユーザのプロファイルを修正するために使用され、修正されたプロファイルがターゲットにされたおよび／または個人化されたコンテンツをユーザに提供するために第２のサービスのプロバイダによって使用される、請求項１から４のいずれかに記載の方法。
【請求項６】
ユーザが少なくとも１つの共通のアイデンティティおよび１つまたは複数のサブアイデンティティを有するアイデンティティのグループであるときは、少なくとも１つのサブアイデンティティから収集されたプロファイルデータがメインアイデンティティに関するプロファイルを修正するために使用される、請求項１から５のいずれかに記載の方法。
【請求項７】
ネットワーク内のノードにおいて、ユーザのワールドワイドウェブブラウジングおよび／または検索を示すデータを抽出するステップと、ユーザのアイデンティティを判定するステップと、収集されたプロファイルされたデータをユーザのアイデンティティと照合し、プロファイルデータを更新し、更新されたプロファイルを第２のサービスを提供するための装置に提供するステップとを備える、請求項１から６のいずれかに記載のプロファイルデータを収集する方法。
【請求項８】
ユーザまたは関連ユーザが第２のサービスを要求したときは、収集されたプロファイルデータ使用して、個人化されたおよび／もしくはターゲットにされたコンテンツならびに／または広告を、第２のサービスを使用するユーザに提供するステップをさらに備える、請求項７に記載の方法。
【請求項９】
ローカルユーザ機器に接続された通信ネットワークの中で提供されるプロファイリング装置であって、１人または複数のユーザによる１つのタイプのサービスの使用に関するプロファイルデータを収集し、そのデータを、前記１人または複数のユーザに同一のネットワークを介して提供される別のタイプのサービスのために使用するように構成された、装置。
【請求項１０】
アクセスネットワークの中で前記プロファイルデータを取得するための手段を含む、請求項９に記載のプロファイリング装置。
【請求項１１】
第１のサービスのユーザの使用に関するプロファイルデータを受信するように構成されたプロファイリング手段と、プロファイリング手段によって取得されたプロファイルデータを使用して、更新されたプロファイリング情報を第２のサービスに提供するための手段とを備える、請求項９または請求項１０に記載の装置。
【請求項１２】
第１のサービスがワールドワイドウェブブラウジングおよび／またはワールドワイドウェブ検索であり、第２のサービスがＩＰＴＶである、請求項８から１１のいずれかに記載の装置。
【請求項１３】
ＩＰＴＶおよびワールドワイドウェブプロファイルデータが１人または複数のユーザのプロファイルを修正するために使用され、該プロファイルを使用して、それらのユーザに個人化されたコンテンツおよび／または広告を提供するための手段を備える、請求項１１に記載の装置。
【請求項１４】
共通のプロファイリングエンジン、広告サーバ、およびＩＰＴＶコンテンツをユーザに配信するためのＩＰＴＶサーバを備える、請求項１３に記載の装置。
【請求項１５】
関連ユーザのグループに関する共通のプロファイルおよび一意のプロファイルを格納するように構成されたデータベース、ならびに共通のプロファイルおよび／または一意のプロファイルを、第２のタイプの個人化されたコンテンツをユーザのそのグループにまたはグループの中のその個々のユーザに提供する際の使用に適したプロファイルデータで更新するための手段を含む、請求項９から１４のいずれか一項に記載の装置。
【発明の詳細な説明】
【技術分野】
【０００１】
本発明は、ネットワークを介して配信されるサービスのユーザのプロファイリングに関し、より具体的には、しかし排他的にではなく、ウェブブラウジングもしくは他のサービスなど、ＩＰＴＶ（インターネットプロトコルテレビジョン）、他のインターネットベースのＴＶサービス、または他のインターネットサービスのプロビジョニングのためのプロファイリングに関する。
【背景技術】
【０００２】
ＩＰＴＶは、現在、ますます一般的になってきており、一般に、ＩＰＴＶユーザまたは加入者は、より広いサービス配信環境（ＳＤＥ）上の他のサービスも使用する。ＳＤＥは、前には関係がないと考えられていた多種多様なサービス、例えば、とりわけｅメールサービス、ワールドワイドウェブサービス、ＩＰメディアサブシステム（ＩＭＳ）サービス、およびＴＶを含む。ＳＤＥは、ＩＰネットワークなどの同一の配信ネットワークを共用することができる。
【０００３】
ワールドワイドウェブ（ＷＷＷ）サービスプロバイダは、ユーザを獲得するために競争し、例えば、ウェブサイトプロバイダが個人化されたサービスオファーおよびサービスを作成してターゲット広告から収益を生み出すことができるようにするプロファイリングデータを収集することができる。
【０００４】
個々のサービスプロバイダは、そのウェブサイトの使用をモニタリングすることによりユーザプロファイリングデータを収集する。しかし、プロファイリングデータは、各サービスプロバイダに特有である。一般に、各プロバイダは、ネットワークロケーション（例えばＩＰアドレス）からの使用データをモニタリングし、この情報を使用してそのアドレスにおけるユーザのプロファイルを判定し、広告のターゲットを設定することができる。しかし、プロファイリングは、特定のサイト所有者によって提供されるサービス、そしてまた広告のターゲットを設定するまたはサービスを個人化する能力にも限定され、あるいは、ユーザに提供されるプロモーションは、そのユーザが実際にウェブサイトにアクセスする時間に限定される。特定のサービスプロバイダはそれぞれ独自のプロファイリングデータを取得し格納する。
【０００５】
同様に、ＩＰＴＶドメインにおいて、ユーザのサービス消費の履歴およびプリファレンスが取得され、特定のユーザプロファイルに格納されることが可能である。このプロファイルは、後ほど、サービスオファーまたはターゲット広告を個人化するために使用されることが可能である。しかし、この手法はまた、ＩＰＴＶプロバイダを介して（ＩＰＴＶミドルウェアを介して）配信されるサービスしかプロファイリングに含まれることが可能でないので、限界を有する。
【０００６】
サービスプロバイダそれぞれによって行われるプロファイリングは、完全に独立であり、同一の消費者に提供される他のサービスのプロバイダには知られない。
【０００７】
しばしば、インターネットウェブサイトまたはＩＰＴＶサービスプロバイダなどの各サービスドメインから収集されたプロファイリング情報は不完全であり、いくつかのユーザの興味を反映するだけである。ユーザは、新しい一般的情報の検索のためにインターネットを使用することがあるが、一方、エンタテインメントのためにはＩＰＴＶを使用し、そのエンタテインメントドメインに関連するいかなるターゲット広告をも非効率にする。
【０００８】
ユーザは、しばしば、様々な目的のために様々なタイプのサービスを使用する。それによって、ユーザは、特定の買い物をしようと決めることができ、ウェブサイトを使用して購入を決定するか、または販売品目を比較することができる。現在、ＩＰＴＶサービスを同一のユーザに提供するＩＰＴＶプロバイダが、ユーザがウェブ検索した製品またはサービスにユーザが興味を持っていると判定する方法はない。
【０００９】
他の例は、ワールドワイドウェブおよびＩＰＴＶサービスのユーザが特定のアーティストの音楽が好きで、インターネットを介してこのアーティストの音楽を購入する可能性があるかどうかである。ユーザがそこから音楽を購入したこのサービスプロバイダは、その音楽における興味のことを知っていて、ターゲット広告を提供することができる。しかし、たとえ、そのユーザには十分興味がある可能性があるそのアーティストのＴＶコンテンツ、多分録画されたコンサートをプロバイダが有している可能性があっても、そのユーザのＩＰＴＶサービスのプロバイダはこのことを全然知らないが、ＩＰＴＶサービスプロバイダはその特定のコンテンツにユーザが興味を持っている可能性があることを知る手段を有しない。
【００１０】
本発明は、ＩＰＴＶ以外に他のタイプのインターネットまたはネットワーク配信ＴＶに同様に適用可能であることに留意されたい。
【発明の概要】
【発明が解決しようとする課題】
【００１１】
本発明の目的は、改善されたプロファイリングおよびプロファイリングの使用を提供することである。
【課題を解決するための手段】
【００１２】
本発明によれば、第１の態様では、ローカルユーザ機器に接続された通信ネットワークにおけるプロファイリング方法であって、ネットワークの中で、ユーザが提供される少なくとも第１のタイプのサービスに関するプロファイルデータを収集するステップと、そのデータプロファイルを、ユーザがネットワークを介して提供される少なくとも第２の異なるタイプのサービスにとって利用可能にするステップとを備える方法が提供される。
【００１３】
プロファイルデータは、有利には、アクセスネットワークにおいて取得される。
【００１４】
本方法は、多種多様なサイトおよび／またはサービスにまたがるプロファイリングを、様々なサービスのために利用可能な単一のユーザプロファイルに結合することができる。したがって、それらは様々なサービスの大きなフレキシビリティおよび個人化を提供する。
【００１５】
第１のサービスは、ワールドワイドウェブブラウジングおよび／または検索でよい。
【００１６】
第２のサービスは、ＩＰＴＶまたは他のインターネットＴＶメディアもしくはサービスでよい。
【００１７】
一実施形態では、ユーザが少なくとも１つの共通のアイデンティティおよび１つまたは複数のサブアイデンティティを有するアイデンティティのグループであるときは、少なくとも１つのサブアイデンティティから収集されたプロファイルデータがメインアイデンティティに関するプロファイルを修正するために使用される。
【００１８】
本方法は、ユーザのワールドワイドウェブブラウジングおよび／または検索を示すデータを抽出するステップと、ユーザのアイデンティティを判定するステップと、収集されたプロファイルされたデータをユーザのアイデンティティと照合し、プロファイルデータを更新し、更新されたプロファイルを、第２のサービスを提供するための装置に提供するステップとを備えることができる。
【００１９】
本方法は、ネットワーク内のノードにおいて、ユーザのワールドワイドウェブブラウジングおよび／または検索を示すデータを抽出するステップと、ユーザのアイデンティティを判定するステップと、収集されたプロファイルされたデータをユーザのアイデンティティと照合し、プロファイルデータを更新し、更新されたプロファイルを、第２のサービスを提供するための装置に提供するステップとを提供することができる。
【００２０】
他の態様では、ローカルユーザ機器に接続された通信ネットワークの中に備えられたプロファイリング装置であって、１人または複数のユーザによる１つのタイプのサービスの使用に関するプロファイルデータを収集し、そのデータを、同一のネットワークを介して前記１人または複数のユーザに提供される別のタイプのサービスのために使用するように構成されたプロファイリング装置が提供される。
【００２１】
本装置は、ワールドワイドウェブブラウジングおよび／または検索に関するデータを収集することができ、このデータは、ＩＰＴＶまたは他のビデオおよび／もしくはマルチメディアコンテンツ提供サービスに提供される。
【００２２】
本装置は、関連ユーザのグループに関する共通のプロファイルおよび一意のプロファイルを格納するように構成されたデータベース、ならびに、共通のプロファイルおよび／または１つまたは複数の一意のプロファイルを、第２のタイプの個人化されたコンテンツをそのグループのユーザまたはそのグループの中の１つまたは複数の個々のユーザに提供する際の使用に適したプロファイルデータで更新するための手段を含むことができる。
【００２３】
諸実施形態では、世帯の中の１人または複数のユーザによるワールドワイドウェブ検索が、ＴＶ個人化のために、およびターゲッテイングのために、使用されることが可能である。それによって、その場合、望ましくは特定のユーザにとってずっとより適切であるＩＰＴＶコンテンツが、広告主、コンテンツプロバイダおよび加入者双方の利益のために配信されることが可能である。さらに、特定のワールドワイドウェブプロバイダとは無関係のディープパケットインスペクション（ＤＰＩ）などの方法が使用されることが可能である。それによって、ＩＰＴＶユーザのプロファイルは、多種多様なワールドワイドウェブサイトまたは多種多様なワールドワイドウェブプロバイダに属するサイトの使用に基づいて更新されることが可能である。
【００２４】
諸実施形態では、ローカルにではなくネットワークの中でプロファイルデータを取得することによって、修正されたローカルユーザ機器は必要でなく、アクセスネットワークまたは一般的なネットワークがサービス対応になり得る。２つ以上のサービスのユーザは、より簡単なやり方で両方に対して使用可能な自分のプロファイルを有することができる。
【００２５】
用語「ユーザアイデンティティ」は、広い意味を有し、ユーザアイデンティティは、名前、住所、年齢などの個人識別可能情報（ＰＩＩ）にリンクされた識別されたユーザ（またはユーザのグループ）のリファレンスでよいことに留意されたい。しかし、アイデンティティは、「ニュース、アクション映画および自動車に興味を持っているパーソナリティ」などの個人識別可能情報（ＰＩＩ）にリンクされていない、例えば、多種多様なウェブサイトを訪問しているときのユーザの振る舞いまたはＩＰＴＶを使用しているときのユーザの振る舞いに由来する、匿名のユーザパーソナリティでよい。示唆されている方法は、認証されたユーザアイデンティティが使用されるときか、または認証されていない（例えば匿名の）ユーザパーソナリティが使用されるときか、あるいはそれらの任意の組合せに対して、適用されることが可能である。
【００２６】
次に、本発明の諸実施形態による装置および／または方法のいくつかの実施形態が、例としてのみ、添付の概略図面を参照しながら説明される。
【図面の簡単な説明】
【００２７】
【図１】ネットワークの一部分を示す図である。
【図２】ネットワークの一部分およびソフトウェアアプリケーションを示す図である。
【発明を実施するための形態】
【００２８】
図１は、通信ネットワークのいくつかの構成要素を概略的に示す。一般化された「ネットワーク」１が示されており、これは例えばインターネットでよいが、代替として、広域ネットワークもしくはローカルエリアネットワーク、または他のタイプの有線ネットワークもしくは無線ネットワークでもよい。多くのサービスプロバイダがこのネットワーク上でサービスを提供し、それらのうちの２つ、ワールドワイドウェブ２およびインターネットプロトコルテレビジョン（ＩＰＴＶ）システム３が概略的に示されている。これらおよび他のサービスの一般的な機能はそれら自体でよく知られている。
【００２９】
そのようなサービスのユーザが、しばしば単一の共通のアクセスネットワークを介して、またはいくつかの異なるアクセスネットワークを使用して、インターネットまたは他のサービスにアクセスするいくつかの異なるやり方を有することは一般的である。この図では、特定のユーザまたはユーザのグループ（家族など）に関連付けられたいくつかの端末デバイスが示されている。これらは、ＴＶセット５に接続されたセットトップボックス４、デスクトップもしくはラップトップコンピュータ６、および移動電話７を備える。この実施形態では、セットトップボックス４は、ＴＶ５上に表示されるＩＰＴＶサービスをユーザに提供するために使用される。コンピュータ６は、ワールドワイドウェブアクセス、ｅメールなどのために使用されることが可能であるが、これらのサービスは、もちろん、セットトップボックス４を通じて提供されることも可能である。逆に、コンピュータがＩＰＴＶサービスのために使用されることも可能である。移動電話は、移動電話ネットワーク（図示せず）に接続されるか、またはフェムトセルを介してアクセスネットワークに接続されてもよく、もちろん、ウェブブラウジング、ｅメール、およびマルチメディアまたは他のサービスのためにインターネットにアクセスすることもできる。端末／ローカルデバイスは、通信ネットワークの一部分を形成するアクセスネットワーク８を介してインターネットにモデム、ルータなどによって接続される。これは、モバイルネットワークとインターネットなどとの間の要素を接続するＤＳＬ回線を含んでよい。
【００３０】
したがって、構成要素ならびにデバイス４、５、６、７および９、ならびに他の実施形態における同様のデバイスは、「ローカル」デバイスである。
【００３１】
様々な端末デバイスのユーザは、多分、同一のアクセスネットワークを介して接続されることも可能である家庭の固定電話を有することも可能であり、これは９で概略的に示されている。
【００３２】
諸実施形態では、そのロケーションにおけるユーザまたはユーザのグループのメンバのワールドワイドウェブ使用は、モニタリングされ、キーワード抽出器または他の手段などによってプロファイルを判定するために使用され、次いで、このプロファイリングは、ＩＰＴＶプロバイダ３およびそのサブネットワークを介してＩＰＴＶ個人化を推進するために使用される。このようにして、ワールドワイドウェブターゲット広告は、ＩＰＴＶユーザに対して行われることが可能である。
【００３３】
本質的に、ワールドワイドウェブプロファイリングは、コンバージドプロファイル環境における１つまたは複数のＩＰＴＶユーザプロファイルに関連付けられ、これはユーザに配信されるＩＰＴＶコンテンツのより良い個人化を可能にする。ワールドワイドウェブおよびＩＰＴＶが例として使用されるが、プロファイルコンバージェンスおよびシェアリングは、他のプラットフォームおよびサービスのタイプにまたがって使用されることが可能であることに留意されたい。
【００３４】
次に、図２を参照すると、参照数字１０は、一般に、アクセスネットワーク８において利用可能であるまたは実行されるサービスノードまたはアプリケーションに関する。参照番号１１はＩＰＴＶミドルウェアに関する。これらの集まりは、任意であり、例示的使用のためだけである。この図はまた、共通のプロファイリングエンジン１２、ならびにＩＰＴＶおよびＷＷＷプロファイルを判定し分析するための手段を備える広告サーバ１３を示す。
【００３５】
プロファイリングがそこで行われるノード１０は、好ましくはアクセスネットワークにあり、そこを通る信号はそのユーザもしくはユーザの共通のグループに関係があるか、またはネットワーク内の他の位置にあり、そこでデータの結果的にユーザもしくは視聴者のアイデンティティが判定されることが可能である。
【００３６】
ワールドワイドウェブブラウジングプロファイルデータなどのプロファイルデータは、通常、任意の都合のいい方法によって、ノード１０において、または他の場所において取得される。これは、ディープパケットインスペクション（ＤＰＩ）を使用すること、例えば、ＨＴＴＰ、ＦＴＰもしくは他の制御信号、または、例えばユーザ機器４、６もしくは７への一般的なアクセスネットワークを通るメッセージを分析することによってでもよい。この情報は、広告サーバ１３上の行為と照合されるかまたは一般的なプロファイリングエンジン１２に適用され、ディスパッチされたまたはユーザにとって利用可能なＩＰＴＶコンテンツに個人化されたまたは適切な追加を挿入する。
【００３７】
より具体的には、典型的な実施例では、ユーザは、多分自分のコンピュータ６または移動電話７を使用してインターネットを検索する。キーワード抽出器１４は、ディープパケットインスペクションまたは他の技法を使用して関連があるキーワードを判定し、ユーザが検索しているものの詳細を判定する。これらは、プロファイリングエージェント１５に渡される。これは、プロファイリングエージェントの代わりに、プレゼンスエージェントでもよい。プロファイリングエージェント１５は、ＩＰＴＶサービス１１に接続された共通のＩＤデータベース１６からユーザのアイデンティティを判定する。プロファイリングエージェント１５はまた、例えばセットトップボックス４から適切な情報を受信するか、またはインターネットグループ管理プロファイル（ＩＧＭＰ）メッセージまたはリアルタイムストリーミングプロトコル（ＲＴＳＰ）メッセージなどのＩＰＴＶ制御メッセージをモニタリングすることによりユーザプロファイルを抽出するＩＰＴＶプロファイルアプリケーション１７に接続される。プロファイリングエージェント１５は、プロファイリングアプリケーション７から受信したプロファイルを抽出器１４から受信されたキーワードと共に共通のプロファイリングエンジン１２に報告する。これはまた、アプリケーションサーバとしても知られている。
【００３８】
特定のユーザ（認証されたかまたはパーソナリティバンドのどちらか）への決定または関連付けプロファイリング情報は、プロファイリングエンジン１２自体によって行われることが可能であることに留意されたい。
【００３９】
プロファイリングエンジン１２は、その特定のユーザによって視聴された前のＩＰＴＶコンテンツおよびＷＷＷ検索などの前のユーザ状態を格納するデータベースまたは他の手段を含んでよい。次いで、プロファイリングエンジン１２は、データを広告サーバ１３に、そしてまたネットワークに対して内部であろうと外部であろうと他のソースにも提供し、例えば、これは外部の広告キャンペーンプロバイダまたはマネージャに提供されるデータでよく、その結果、特定の広告物のオリジネータは、その広告が実際に使用されている程度、またはユーザによって要求されている情報のタイプを判定することができる。この図はまた、ＩＭＳ（ＩＰマルチメディアサブシステム）１７などの他のアプリケーションがプロファイリングエンジンに適用されることが可能であることを示すことに留意されたい。
【００４０】
したがって、ユーザのウェブ検索習慣の記録が構築され、これは、外部のソース１８に、広告サーバ１３に、または直接ＩＰＴＶプラットフォーム１１に配信されることが可能である。
【００４１】
上記は、典型的なプロファイル抽出方法の全般的な説明である。次いで、プロファイルデータは、消費モードで以下のように使用されることが可能である。
【００４２】
最初に、ユーザは、例えばセットトップボックス４を介して、ＩＰＴＶミドルウェア内のＩＰＴＶアプリケーション１９から、電子プログラムガイド（ＥＰＧグリッド）またはブロードキャストＴＶ（ＢＴＶ）カタログなどのＩＰＴＶアプリケーションをアクティブ化する。次いで、このアプリケーションは、広告サーバ１３に個人化された広告を要求する。これは、代替として、推奨エンジンから直接行われてもよい。広告選択サーバ１３は、それに与えられているユーザプロファイルに基づいて広告を選択する。例えば、ユーザが特定のブランドの自動車をインターネットでちょうど検索したところであり、そのブランドの自動車のメーカが最近広告サーバにとって利用可能である新しいプロモーションまたは広告を導入したばかりである場合は、広告サーバは、この広告をそのユーザへの送信のためにＩＰＴＶシステムに返す。それによって、ターゲット広告は、ＩＰＴＶユーザのワールドワイドウェブブラウジングに基づいてＩＰＴＶユーザに配信される。次いで、ＩＰＴＶアプリケーション１９は、この広告をユーザのセットトップボックスを介してユーザに表示する。
【００４３】
代替として、または追加として、広告ではなく個人化されたアプリケーションが、プロファイリングエンジンからのプロファイルを使用してＩＰＴＶミドルウェア１１における個人化されたアプリケーションエンジン１８によってユーザに直接送信されることも可能である。
【００４４】
これは、個人化されたコンテンツでも、さらには多分ターゲットにされたメッセージ、他のコンテンツへのリンクなどでもよい。いくつかの実施形態では、個人化されたアプリケーションエンジンは、個人化されたコンテンツをエンドユーザに配信するビデオサーバまたはビデオキャッシュでよい。
【００４５】
個人化アプリケーションは、単一のサーバまたはいくつかのサーバおよび他のデバイスでよいＩＰＴＶサーバ２０によって提供される。これはまた、ユーザＩＤデータベース２２およびＩＰＴＶプロファイルデータベース２３を備えた中央データベース２１を提供する。個々のユーザおよびユーザのグループならびにこのユーザデータベースからの情報のこれらの格納詳細は、アクセスネットワークにおける共通のＩＤアプリケーション１６に適用される。
【００４６】
代替実施形態では、ＩＰＴＶユーザＩＤおよび／または関連プロファイルは、プロファイリングエンジン１２に直接格納されることが可能である。プロファイルは、認証されても認証されなくてもよい。
【００４７】
諸実施形態はまた、共通のアイデンティティマッピングにまで及ぶ。すなわち、人々のグループ、最も典型的には家族もしくは世帯、または多分職場の同僚のグループは、共通のプロファイルを共有することができるが、彼らはそれぞれ、そのプロファイルの中に独自のアイデンティティまたはサブアイデンティティを有することができる。家族グループを例に取ると、以下の状況があてはまり得る：
【００４８】
スミス家は、ＩＰＴＶサービス３に架空のプロバイダ「ＴＶ  Ｗｏｒｌｄ」を介して加入しおり、会社「Ｇｏｏｄ  Ｃｏｍｍｕｎｉｃａｔｉｏｎｓ」からＩＭＳ移動電話サービスおよび地上回線電話サービスを受けることができる。スミス家は、単一の地上回線（例えばＡＤＳＬ回線）を有し、家族構成員のそれぞれが別々の移動電話番号、例えば：
１．スミス家：９７３−５５５−１１１１
２．Ｂｏｂ  Ｓｍｉｔｈ（携帯電話）：９７３−５５５−２１１１
３．Ｓａｌｌｙ  Ｓｍｉｔｈ（携帯電話）：９７３−５５５−２１１２
４．Ｊｉｌｌ  Ｓｍｉｔｈ（携帯電話）：９７３−５５５−２１１３（ユーザ名「ｆｕｎｋｉｄ」を好む）
スミス家は、ＴＶ  Ｗｏｒｌｄに単一のＩＰＴＶアカウント（アカウント番号「Ｓｍｉｔｈ１２３４」）を有し、ＴＶ  Ｗｏｒｌｄは、スミス家が最初にＩＰＴＶを契約したときに提供されたデータに基づいてスミス家のために作成されたいくつかの標準ユーザプロファイルを提供する。
【００４９】
これらのプロファイルは、（所望の場合は）各ＩＰＴＶユーザを関連するＩＭＳ電話番号と関連付けるデータを含み、プロファイリングがこのユーザのために報告されるべきかどうかの表示を提供することもできる。すなわち、ユーザによっては自分のためにプロファイリングが行われないことを選択してもよく、またはこの選択は事業者によって行われてもよく、あるいはこれらの混合でもよい。さらに、スミス家は、ユーザプロファイルを追加、削除、および修正することもできる。しかし、通常、デフォルトプロファイルは、（スミス家がサービスのサブスクリプションを停止しない限り、またはそれまで）削除されることは不可能である。したがって、スミス家の様々なユーザプロファイルは、以下のように構成される：
１．Ｓｍｉｔｈ１２３４（マスターファイル）：ロケーション＝ノード３２／ポート２１、ＵＲＬ＝＋１９７３５５５１１１１＠ＣｏｍｍｓＲｕｓ、プレゼンス＝Ｙ
２．Ｂｏｂｓｍｉｔｈ．ｓｍｉｔｈ１２３４：ＵＲＩ＝＋１９７３５５５２１１１＠ＣｏｍｍｓＲｕｓ、プレゼンス＝Ｙ
３．Ｓａｌｌｙ．ｓｍｉｔｈ１２３４：ＵＲＩ＝＋１９７３５５５２２１２＠ＣｏｍｍｓＲｕｓ、プレゼンス＝Ｎ
４．Ｆｕｎｋｉｄ．ｓｍｉｔｈ１２３４：ＵＲＩ＝＋１９７３５５５２１１３＠ＣｏｍｍｓＲｕｓ、プレゼンスＹ
５．ｐａｒｅｎｔｓ．ｓｍｉｔｈ１２３４：ｍｅｍｂｅｒｓ＝ｂｏｂｓｍｉｔｈ．ｓｍｉｔｈ１２３４、ｓａｌｌｙ．ｓｍｉｔｈ１２３４
６．ｃｈｉｌｄｒｅｎ．ｓｍｉｔｈ１２３４：ｍｅｍｂｅｒｓ  ｆｕｎｋｉｄ．ｓｍｉｔｈ１２３４
プレゼンスは、よく知られているように、ユーザが「アクティブに」利用可能かどうか判定するために使用される。
【００５０】
家族の構成員は、彼らのコンピュータ６、セットトップボックス４、または移動電話７を介してＷＷＷ検索を行う。例えば、これは、システム内の様々なプロファイルを更新するために使用される。アイデンティティが何も指示または判定されなかった場合は、デフォルトの家族アイデンティティ「ｓｍｉｔｈ１２３４」が世帯全体をプロファイリングするために使用される。これは、例えば＋１９７３５５５１１１＠ＧｏｏｄＣｏｍｍｕｎｉｃａｔｉｏｎｓ．ｃｏｍ．のＵＲＬでよい。
【００５１】
プロファイルは、データをプロファイリングエンジン１２にデータを送信するプロファイリングエージェント１４によって行われ、次いで、プロファイリングエンジン１２が共通のプロファイルおよび／または個々のプロファイルをしかるべく改訂する。次いで、改訂されたプロファイルデータが、個人化された広告および／またはコンテンツが一般的に世帯にかまたは特定のものに配信されるようにする追加サーバ１３へのまたは直接ＩＰＴＶサービス１１への入力として使用される。
【００５２】
プロファイルデータは、個人化されたコンテンツを配信するときにユーザの最近の興味だけが考慮されるように、どれほど最近ＷＷＷ検索が行われたか判定するために、および／またはタイムラインを判定するために、タイムスタンピングなどの時間の表示を含んでよい。プロファイルデータはまた、履歴のトレンドを判定するために、または他の目的のために、行われた検索のより長い期間の記録または要求された他のコンテンツを考慮することができる。プロファイルデータに対するまたはプロファイルデータの多くの他の分析および使用が行われることが可能である。
【００５３】
（例としてのみ）示された実施形態は、認証されたユーザに適用されることに留意されたい。上記で説明されたように、同様の技法および方法が、認証されていないユーザに対して使用されることが可能である。
【００５４】
ユーザアイデンティティは、認証されても認証されなくてもよく、両方の組合せでもよい。例えば、グループ内では、認証されるユーザＩＤまたはサブＩＤもあるが、認証されないものもある（例えば、振る舞いベースのもの）。
【００５５】
説明および図面は、単に本発明の原理を例示するだけである。したがって、当業者は、本明細書では明示的に説明または示されていないが、本発明の原理を実施し、本発明の趣旨および範囲内に含まれる様々な構成を考案することができることが理解されるであろう。
【００５６】
さらに、本明細書に記載されているすべての実施例は、主として、読者が本発明の原理、および技術を発展させることに本発明者によって提供された概念を理解するのを支援する教育的目的のためのみであることが明示的に意図され、そのような具体的に詳述された実施例および状況に限定されないと解釈されるべきである。さらに、本発明の原理、態様および実施形態を詳述する本明細書におけるすべての記述、ならびにそれらの特定の実施例は、それらの同等物を包含するものとする。
【図１】
2012524351.tif 000003
【図２】
2012524351.tif 000004
【国際調査報告】
2012524351.tif 000005
2012524351.tif 000006
2012524351.tif 000007